(57)【要約】      （修正有）【課題】物質が排出される圧搾可能な容器に設けられるのに適した一方向バルブを提供する。【解決手段】バルブ２２ａ〜２２ｄは、圧搾可能な容器の周囲から伸長する２つの隣接する舌片を含み、２つの隣接する舌片は、次の２つの状態：折り目線１６の上で舌片が折り畳まれず、それにより物質が舌片間を通る、第１の状態；及び前記折り目線１６の上で舌片が折り畳まれて、物質が舌片を通るのを妨げる、第２の状態を有しており；バルブ２２ａ〜２２ｄは、第１の状態で物質を中に通して排出するための開口部１４を含み、該開口部１４は、第１の状態で折り目線１６の上、及び第２の状態で折り目線１６の下に配置される。【選択図】図１
0003211523.tif 000002
【実用新案登録請求の範囲】
【請求項１】
物質が排出される圧搾可能な容器に設けられるのに適した一方向バルブであって、該一方向バルブは、
圧搾可能な容器の周囲から伸長する２つの隣接する舌片を含み、２つの隣接する舌片は、次の２つの状態：
折り目線（１６）の上で舌片が折り畳まれず、それにより物質が舌片間を通る、第１の状態；及び
前記折り目線（１６）の上で舌片が折り畳まれて、物質が舌片を通るのを妨げる、第２の状態
を有しており；
前記一方向バルブは、前記第１の状態で物質を中に通して排出するための開口部（１４）を含み、該開口部（１４）は、
前記第１の状態で前記折り目線（１６）の上、及び
前記第２の状態で前記折り目線（１６）の下
に配置される、ことを特徴とする一方向バルブ。
【請求項２】
中に保存される物質を単に一方向に導通させるのを可能にするのに適した容器であって、該容器は少なくとも１つの一方向バルブを含み、該一方向バルブは、
圧搾可能な容器の周囲から伸長する２つの隣接する舌片を含み、２つの隣接する舌片は、次の２つの状態：
折り目線（１６）の上で舌片が折り畳まれず、それにより物質が舌片間を通る、第１の状態；及び
前記折り目線（１６）の上で舌片が折り畳まれて、物質が舌片を通るのを妨げる、第２の状態
を有しており；
前記一方向バルブは、前記第１の状態で物質を中に通して排出するための開口部（１４）を含み、該開口部（１４）は、
前記第１の状態で前記折り目線（１６）の上、及び
前記第２の状態で前記折り目線（１６）の下
に配置される、ことを特徴とする容器。
【請求項３】
前記容器は、圧搾可能な容器、チューブ、ボトル、プラスチック袋、及びパックなどの容器の群から選択される、ことを特徴とする請求項２に記載の容器。
【請求項４】
複数の容器がパッケージにおいて接続され、ここで、各容器は、単純な方法で切り離されるのに適している、ことを特徴とする請求項２に記載の容器。
【請求項５】
前記容器は、物質が充填され且つ硬い容器内に詰め込まれ得るプラスチック容器である、ことを特徴とする請求項２に記載の容器。
【請求項６】
前記容器はディスペンシングブラシである、ことを特徴とする請求項２に記載の容器。
【請求項７】
中に保存される物質を単に一方向に導通させるのを可能にするのに適した容器であって、該容器は可撓性プラスチック製であると共に、少なくとも１つの一方向バルブを含み、該一方向バルブは、
圧搾可能な容器の周囲から伸長する２つの隣接する舌片を含み、２つの隣接する舌片は、次の２つの状態：
折り目線（１６）の上で舌片が折り畳まれず、それにより物質が舌片間を通る、第１の状態；及び
前記折り目線（１６）の上で舌片が折り畳まれて、物質が舌片を通るのを妨げる、第２の状態
を有しており；
前記一方向バルブは、前記第１の状態で中を通る物質を排出するための開口部（１４）を含み、該開口部（１４）は、
前記第１の状態で前記折り目線（１６）の上、及び
前記第２の状態で前記折り目線（１６）の下
に配置され；及び
前記容器は、再充填を可能にするのに適した充填開口部を含む
ことを特徴とする容器。
【考案の詳細な説明】
【技術分野】
【０００１】
本考案は、圧搾可能な容器におけるバルブに関するものである。より具体的に、本考案は、物質の残りが容器に残るのを防ぐために圧搾可能な容器からのクリーム、ペースト、液体、粘稠液、ソースなどの物質の一方向の導通、及び前記物質の完全な利用に関する。
【背景技術】
【０００２】
練り歯磨きのようなクリーム、ハンドクリーム、又はケチャップは通常、チューブのような圧搾可能な容器に保存されている。容器からクリームを排出するためには、容器を押してクリームを搾り出さねばならない。更に、通常は、排出を容易にする特定の状態で容器を保持することが推奨される。
【０００３】
そのような方法における問題が、製品の完全な利用を達成する際に生じる。容器を押すことにより、中に保存されたクリームが全て確実に排出されるとともに使用されるようになる方法は存在しない。通常、容器の内部には残余物が残されるが、ユーザーは、容器のあらゆる場所を押すことでペーストを絞り出し、異なる保持位置で容器を保持する。
【０００４】
ＵＳ５１６９０３０、ＵＳ２００６００２１６２９、及びＧＢ２４２６７５１には、容器用のバルブが開示されている。しかし、それらの何れにも、バルブについて１より多くの状態が開示されていない。
【０００５】
本考案は、物質を絞り出すことにより、圧搾可能な容器に保存された全ての物質の最大限の利用を達成するための器具及び方法を提供することを目的とする。
【０００６】
本考案は、クリームを絞り出すのを補助するための外部装置を使用すること無く、圧搾可能な容器に保存されたクリームの完全な利用方法について記載する。該方法は、圧搾可能な容器中のクリームの一方向の導通に基づく。
【図面の簡単な説明】
【０００７】
より良く本考案を理解すると共にその実用化を認識するために、以下の図を添付し、本明細書で参照する。同様の構成要素は同様の参照符号により表わされる。
【０００８】
図は、実施例及び好ましい実施形態のみとして与えられるものであり、決して付随の記載及び請求項に定められるように本考案の範囲を制限するものではないことを理解されたい。
【図１】図１は、本考案の好ましい実施形態に係るチューブからのクリームの一方向導通のための器具の断面図を示す。
【図２】図２は、導通状態にある、本考案の好ましい実施形態に係る一方向導通バルブの断面図を示す。
【図３】図３は、非導通状態にある、本考案の好ましい実施形態に係る一方向導通バルブの断面図を示す。
【図４】図４のａ、ｂ、ｃ、ｄはそれぞれ、図３に示されるような一方向導通バルブの、平面図、正面図、側面図、及び背面図を示す。
【図５】図５は、本考案の好ましい実施形態に係る圧搾可能なボトルからの粘稠液（シャンプーなど）の活発な排出のための器具の断面図を示す。
【図６】図６は、本考案の好ましい実施形態に係る圧搾可能なボトルからの炭酸飲料の一方向導通のための器具の断面図を示す。
【図７】図７は、本考案の好ましい実施形態に係るプラスチック袋からのミルク、粉末、又は他の任意のバルク製品の一方向導通のための器具の断面図を示す。
【図８】図８は、本考案の好ましい実施形態に係る搾り袋（ｓｐｌａｓｈｉｎｇ ｂａｇ）からのホイップクリームの一方向導通のための器具の断面図を示す。
【図９】図９は、本考案の好ましい実施形態に係る、デオドラント化粧品などのロールオンボトルからの液体の一方向導通のための器具の断面図を示す。
【図１０】図１０のａは、図７に示されるようなプラスチック袋の筒状包装体の断面図である。
【図１１】図１１のａとｂは、本考案の好ましい実施形態に係るヘアブラシからのクリームの一方向導通のための器具の正面図及び側面図をそれぞれ示す。
【図１２】図１２のａ、ｂ、ｃは、本考案の好ましい実施形態に係る歯ブラシからのペーストの排出を制御するための機構を備えた、歯ブラシの一部としての器具を利用する状態の断面図を示す。
【考案を実施するための形態】
【０００９】
ここで、本考案の好ましい実施形態に係るチューブからのクリームの一方向導通のための器具の断面図を示している図１について言及する。チューブ（１８）は圧搾可能な容器の実施形態である。チューブ（１８）は、チューブを押すことによりチューブの開口部（２０）を通って排出されるクリームを含有している。チューブ（１８）の内部には、図１に示されるように、４つの一方向導通バルブ（２２ａ）、（２２ｂ）、（２２ｃ）、（２２ｄ）がある。バルブ（２２ａ）、（２２ｂ）、（２２ｃ）は導通状態であり、一方でバルブ（２２ｄ）は既に非導通状態である。
【００１０】
ここで、導通状態の一方向導通バルブの断面図を示す図２について言及する。図２は、バルブ（２２ａ）、（２２ｂ）、（２２ｃ）、（２２ｄ）の１つをより良く示している。バルブは、２つの接続され且つ密閉された舌片（ｔｏｎｇｕｅｓ）を含む。舌片の接続は側部（１０）と（１２）で行われ、その両方が密閉される。クリームは開口部（１４）を通って排出される。物質の一部がバルブの下、従って領域（２４）に保存され、及び、物質の一部がチューブの開口部を通る物質の排出の方向でバルブの上、従って領域（２６）に保存される間に、バルブが位置付けられる。領域（２４）上でチューブを押すことにより、クリームがバルブ開口部（１４）を通って排出される。領域（２４）から領域（２６）まで物質を導通させた後、バルブは、図３に示されるような非導通状態に切り換わり、クリームが領域（２６）から領域（２４）へ戻って導通されるのを防ぐ。
【００１１】
ここで、非導通状態の一方向導通バルブの断面図を示す図３について言及する。非導通状態では、バルブは、折り目線（１６）にて折り畳まれる（折り目線（１６）は、図２の非折り畳み状態にも見られる）。この折り畳み状態では、折り目線（１６）は、バルブ開口部（１４）を通り後方へと領域（２４）に向かうクリームの導通を密閉しており、その結果、折り目線（１６）と開口部（１４）の間の距離は、例えば図２に関連する図３に示されるように半分に縮小し、それによりクリームの飛び散りを防ぐ。
【００１２】
ここで、図３に示されるような一方向導通バルブの、平面図、正面図、側面図、及び背面図をそれぞれ示す、図４のａ、ｂ、ｃ、ｄについて言及する。２つの接続された舌片は（３８）と（４０）であり、一方で舌片（３８）の直径は舌片（４０）の直径よりも大きい。舌片接線領域は、（２４）、（２６）、（２８）、（３０）、及び（３２）である。クリームの導通は、舌片間の非接続領域である、領域（３４）及び（３６）を通る。
【００１３】
ここで、本考案の好ましい実施形態に係る圧搾可能なボトルからの粘稠液（シャンプーなど）の一方向導通のための器具の断面図を示す図５について言及する。粘稠液を保存した圧搾可能なボトルを使用する場合、圧搾可能なボトル（１００）は好ましい実施形態である。一方向バルブ（１０２）が圧搾可能なボトル（１００）内に設けられる。シャンプーの一部がボトルから取り除かれた後、底部は空であり、上部からの物質は、底部一方向バルブにより底部に戻ることができない。
【００１４】
ここで、圧搾可能なボトルからの炭酸飲料の一方向導通のための器具の断面図を示す図６について言及する。この実施形態の独自性は、炭酸飲料からガスが漏れる問題を解決するために本考案の使用の実現において表わされる。飲料の一部が消費された後、ボトルに残る部分は、ガスが漏れるのを防ぐよう、空気に晒されない。
【００１５】
ここで、本考案の好ましい実施形態に係るプラスチック袋からのミルク、粉末、又は他の任意のバルク製品の一方向導通のための器具の断面図を示す図７について言及する。プラスチック袋の中身がバルブを通った後、バルブは非導通状態に切り替わる。バルブが非導通状態に切り替わると、袋を丸めたり、又は２つの非導通バルブ間の空間にて袋を切ることが出来る。
【００１６】
ここで、搾り袋からのホイップクリームの一方向導通のための器具の断面図を示す図８について言及する。クリームは、バッグの上部にある開口部を通ってバッグに詰め込まれる。
【００１７】
ここで、デオドラント化粧品などのロールオンボトルからの液体の一方向導通のための器具の断面図を示す図９について言及する。液体は、ボールの周囲にある容器の上部にて捕捉され、上部バルブを通った液体は全て、容器の底部に戻ることが出来ない。
【００１８】
ここで、図７に示されるようなプラスチック袋の筒状包装体の断面図を示す図１０のａについて言及する。図１０のａにおいて、一方向バルブを持つバッグは、互いに側方で接続されている。バッグは、その細長い寸法を介して接続される。バッグには、底部開口部（４４）を通って物質が充填され、一方で両方の場合において、バッグは、ボトル内に詰め込まれる間に、又は独立して使用され得る。
【００１９】
ここで、本考案の好ましい実施形態に係るヘアブラシからのクリームの一方向導通のための器具の正面図及び側面図をそれぞれ示す図１１のａとｂについて言及する。一方向バルブを、ソープディスペンサーを備えたヘアブラシに統合して、この図に示されるようにブラシに沿った物質の導通を可能にすることができる。様々なサイズのバルブ（２００）は、シャンプー又は他の任意の物質を排出するための開口部（２０４）を有しているヘアブラシ（２０２）内に設けられる。ヘアブラシ（２０２）には、物質が排出された後にユーザーが物質をブラシに充填するのを可能にする、第２開口部（２０６）が設けられる。
【００２０】
ここで、本考案の好ましい実施形態に係る歯ブラシからのペーストの排出を制御するための機構を備えた、歯ブラシの一部としての器具を利用する状態の断面図を示す図１２について言及する。以前に示したようなヘアブラシにおけるバルブの使用と同様に、練り歯磨を充填した歯ブラシにおいてバルブを利用することができる。図１２のａにおいて、歯ブラシ（３００）には、中空であり且つ中に練り歯磨きが詰め込まれるブラシの長さに沿って、バルブ（３０２）が設けられる。この場合、ブラシが固いため、部分（３０４）がブラシの上部に設けられることで、練り歯磨きを押して管（３０６）に通し、ブラシ毛の方へ向かわせることが可能となる。練り歯磨きを押す機構はバルブ（３０８）であり得る。練り歯磨きは、ネジ式キャップ（３１２）により密閉され得る開口部（３１０）を通って充填される。
【００２１】
図１２のｂにおいて、別の歯ブラシが示され、ここで、該歯ブラシには、その充填開口部（３１０）においてゴムキャップ（３１４）が設けられる。
【００２２】
図１２のｃにおいて、前記歯ブラシには歯を清潔にする（ｔｏｏｔｈ−ｆｒｅｓｈｅｎｉｎｇ）液体が含まれる。歯ブラシには開口部閉鎖バルブ（３１６）が設けられる。
【図１】
0003211523.tif 000003
【図２】
0003211523.tif 000004
【図３】
0003211523.tif 000005
【図４】
0003211523.tif 000006
【図５】
0003211523.tif 000007
【図６】
0003211523.tif 000008
【図７】
0003211523.tif 000009
【図８】
0003211523.tif 000010
【図９】
0003211523.tif 000011
【図１０】
0003211523.tif 000012
【図１１】
0003211523.tif 000013
【図１２】
0003211523.tif 000014